(57)【特許請求の範囲】
【請求項１】
開口部が形成されて光ディスクが収納される本体を具備したディスクカートリッジにおいて、前記開口部を開閉させるための第１及び第２シャッタ部材と、前記第１及び第２シャッタ部材のいずれか一方のシャッタ部材が駆動されることによって他方のシャッタ部材も開口部を開放するように移動する前記第１及び第２シャッタ部材を連動させる連結手段とを具備し、
前記連結手段は、前記第１及び第２シャッタ部材のいずれか一方のシャッタ部材がシャッタ幅だけ開口部を開放するように移動した後、他方のシャッタ部材を前記一方のシャッタ部材とともに前記移動方向と同一方向に移動させることを特徴とする連動されるシャッタを有するディスクカートリッジ。
【請求項２】
前記第１及び第２シャッタ部材にそれぞれ第１及び第２ストッパーを前記連結手段として具備し、前記第１及び第２シャッタ部材のいずれか一方のシャッタ部材がシャッタ幅だけ開口部を開放するように移動すると、前記第１及び第２ストッパーが互いに噛み合うことにより、他方のシャッタ部材を前記一方のシャッタ部材とともに前記移動方向と同一方向に移動させることを特徴とする請求項１記載の連動されるシャッタを有するディスクカートリッジ。
【請求項３】
小型光ディスクが収納されて第１及び第２シャッタ部材のいずれか一方のシャッタ部材が駆動され、このシャッタ部材がシャッタ幅だけ開口部を開放するように移動すると、他方のシャッタ部材も前記一方のシャッタ部材とともに前記移動方向と同一方向に移動させるようにした小型ディスクカートリッジを収納する収納手段と、前記小型ディスクカートリッジを駆動させる駆動手段とを具備することを特徴とするディスク駆動装置。
【請求項４】
前記収納手段は前記大型ディスクカートリッジと同一のサイズで製作され小型ディスクカートリッジが収納されるアダプターと、前記アダプターと前記大型ディスクカートリッジのいずれか一つを前記駆動手段の方に移動させるためのトレイ手段とを具備することを特徴とする請求項３記載のディスク駆動装置。
【発明の詳細な説明】
【０００１】
【発明の属する技術分野】
本発明はディスク形状の光記録媒体（以下「光ディスク」という）が収納されるディスクカートリッジに関し、特に小型光ディスクを収納することができると共に、大型ディスクカートリッジと互換性を有するようにしたディスクカートリッジに関する。また、本発明は互いに異なる大きさのディスクカートリッジを駆動することができるディスク駆動装置に関する。
【０００２】
【従来の技術】
光ディスクは再生専用と記録可能用に分かれている。このような光ディスクは研究・開発によって高密度化されている。光ディスクの高密度化、特に記録可能な光ディスクの高密度化は記録の安定性を確保するために汚染や損傷から記録面を保護しなければならない。そのため、記録可能な光ディスクはディスクカートリッジに収納されている。
【０００３】
図１を参照すると、従来のディスクカートリッジは開口部（６）が形成された本体（２）と、開口部（６）を開放するためのシャッタ（４）とを具備する。このようなディスクカートリッジ内に１２０mm直径の光ディスク（１）が回転可能に収納される。開口部（６）はシャッタ（４）により開閉される。シャッタ（４）は本体（２）に直線的に移動できるように取り付けられている。このようなシャッタ（４）はディスクカートリッジがディスク駆動装置内にロードされる時、ディスク駆動装置内に設けられたシャッタオープナーにより左側または右側に直線的に運動して開口部（６）を開放させる。開口部（６）の開放により光ディスク（１）は露出されてスピンドルモータのターンテーブル上に装着され、クランパーによりクランピングされる。同時に、開口部（６）が開放されると記録または再生時の光ピックアップが開口部（６）を通してレーザ光を照射して光ディスク（１）の記録面または再生面にアクセスする。この開口部（６）の幅は少なくとも開口幅Ｗ以上にならなければならない。これは開口部（６）はスピンドルモータとクランパーにより把持される光ディスク（１）のクランピング領域を確保することと併せて、光ピックアップが光ディスク（１）の半径方向に自由に移動できるように光ピックアップのアクセス空間を確保するためである。開口部（６）が開放された状態でディスクカートリッジが外部に取り出される始めると、シャッタオープナーが元の位置に復帰し、本体（２）内のスプリング（図示しない）の復元力がシャッタ（４）にかかる。このスプリングの復元力によりシャッタ（４）は元の位置に移動して開口部（６）を閉める。外部に出されたディスクカートリッジは外力をシャッタ（４）に作用しない限り開口部（６）が閉まっている状態を維持する。
【０００４】
図１のようなディスクカートリッジは一般的に直径が１２０mmである光ディスク（１）が収納される。１２０mmの直径の光ディスクは大容量のデータを記録または再生することができるが、携帯するのに不便である。１２０mmの直径の光ディスクとディスクカートリッジは、主にＰＣのような据え置き型の情報機器に設置されたディスク駆動装置により記録または再生される。この１２０mmの直径の光ディスクとディスクカートリッジは比較的に大きいサイズであるためにデジタルカメラキャムコーダーのような小型の情報機器に適用するのは困難である。一方、光ディスクが高密度化されて光ディスクは小型情報機器にも利用されるように小型化されている。例えば、８０mmの光ディスクはキャムコーダーの記憶媒体、デジタルカメラの記憶媒体、携帯用のコンピュータの記憶媒体として活用されることが期待されている。このような小型光ディスクは、大型のものと同じように汚染または損傷から保護するようにディスクカートリッジに収納される趨勢である。しかし小型ディスクカートリッジは、大型ディスクカートリッジと比較する時、本体（２）サイズが小さいほどシャッタ（４）の移送量も減り、開口部（６）は充分な開口幅Ｗを確保するのが困難となる。
【０００５】
このような問題点を考慮して開口部の幅を小さくする方案を検討されたが、クランピング空間とアクセス空間がそれだけ減少する。クラピング空間とアクセス空間を減少させると、それを従来のもので記録、再生させようとすると、既存の大型光ディスクが駆動されるディスク駆動サイズ内に設置されている光ピックアップ、クランピング及びスピンドルモータのターンテーブルのサイズを減らす必要がある。この場合、もっと問題となるのはクランピングサイズが小さくなることである。光ディスクに作用するクランピング力が小さくなるために光ディスクが振動に対する影響を受け易くなる。このような振動を保障するためにはサーボ制御をそれだけ精密にしなければならなくなるが、それはきわめて技術的困難さを伴う。結果的に、開口部（６）を小さくする案では、大型ディスクカートリッジがロードされるディスク駆動装置と互換性がなくなり、小型ディスクカートリッジに適合した別のディスク駆動装置が必要となる。
【０００６】
一方、日本特許公開８ー１８０６３６に開示された案は、アダプターを利用して一つのディスク駆動装置でサイズが異なるカートリッジを駆動することができるようにしているが、この場合にも開口部サイズが異なると光ピックアップ、スピンドルモータ及びクランピングなどのサイズが異なるのでアダプターを利用することは無意味である。
これによって、小型ディスク（または小型ディスクカートリッジ）と大型ディスク（または大型ディスクカートリッジ）を一つのディスク駆動装置で駆動することができるようにする必要性がある。
【０００７】
【発明が解決しようとする課題】
従って、本発明の目的は大型ディスクカートリッジと互換性を有する小型のディスク用のカートリッジを提供することである。
本発明の他の目的は小型ディスクカートリッジ及び大型ディスクカートリッジを共に駆動することができるディスク駆動装置を提供することである。
【０００８】
【課題を解決するための手段】
前記目的を達成するために、本発明によるディスクカートリッジは開口部を開閉するための第１及び第２シャッタ部材と、第１及び第２シャッタ部材のいずれか一つのシャッタ部材が駆動されることによって他方の２シャッタ部材を連動させる連結手段とを具備することを特徴とする。
本発明によるディスク駆動装置は小型光ディスクが収納され、かつ第１及び第２シャッタ部材の中いずれか一つのシャッタ部材が駆動されると異なるシャッタ部材が連動される小型ディスクカートリッジと、小型ディスクカートリッジを駆動させる駆動手段とを具備する。
【０００９】
本発明による連動されるシャッタを有するディスクカートリッジは、小型光ディスクに適合するだけではなく開口部サイズを充分に確保することで大型ディスクカートリッジと互換性を持たせることができる。本発明によるディスク駆動装置は連動されるシャッタを有する小型ディスクカートリッジを大型ディスクカートリッジのように駆動することができる。
【００１０】
【発明の実施態様】
以下、本発明の実施形態などを添付した図２乃至図２２を参照して詳細に説明することにする。
まず図２を参照する。本発明の第１実施形態によるディスクカートリッジは開口部（２６）が形成された本体（１２）と、本体（１２）に直線運動自在に取り付けられる第１及び第２シャッタ（１４、２４）と、第１及び第２シャッタ（１４、２４）を互いに反対方向に同時に移動させるシャッタ駆動部とを具備する。本体（１２）に形成された開口部（２６）の幅は大型ディスクカートリッジのそれと同一である。第１及び第２シャッタ（１４、２４）はシャッタ駆動部により駆動されて互いに反対方向に直線運動して開口部（２６）を開閉させる。すなわち、両者は本体（１２）のほぼ中央部で突き合わされており、駆動部により互いに離れる方向に移動する。
【００１１】
図２及び図３を参照すると、シャッタ駆動部は本体（１２）に回転可能に設置されるピニオン（１８）と、ピニオン（１８）に噛み合うと共に各々第１及び第２シャッタ（１４、２４）の中いずれか一方に結合された第１及び第２直線ラック（２０ａ、２０ｂ）と、第１及び第２直線ラック（２０ａ、２０ｂ）に復元力をかける第１及び第２引張スプリング（２２ａ、２２ｂ）と、第１及び第２シャッタ（１４、２４）の中いずれか一つに駆動力を伝達するシャッタヘッド（１６）とを具備する。ピニオン（１８）は本体（１２）内の上側中央部に形成されたヒンジ溝（１２ｈ）に回転可能に取り付けられている。このピニオン（１８）はヒンジ溝（１２ｈ）を中心にして互いに向きあるように配置された第１及び第２直線ラック（２０ａ、２０ｂ）に噛み合っている。したがって、ピニオン（１８）が回転すると第１及び第２直線ラック（２０ａ、２０ｂ）は相互に反対方向に移動する。第１直線ラック（２０ａ）はその先端部にピン（２１ａ）を備え、そのピンを第１シャッタ（１４）に形成させたホール（１４ａ）に差し込むことで第１シャッタ１４に取り付けられる。同じように、第２直線ラック（２０ａ）は第２シャッタ（２４）の縁に形成されたホール（２４ａ）にピン（２１ｂ）を差し込んで第２シャッタ（２４）に取り付けられる。したがって、それぞれのラックとそれぞれのシャッタとは一緒に移動する。第１及び第２直線ラック（２０ａ、２０ｂ）は本体（１２）内の上側に並んで形成されている第１及び第２ガイド溝（１２ａ、１２ｂ）内に入れられ、その内部で直線運動するようになっている。第１及び第２直線ラック（２０ａ、２０ｂ）は大略一つのシャッタの幅と同じ長さに製作される。これらの第１及び第２直線ラック（２０ａ、２０ｂ）は共にピニオン（１８）に噛み合っているので、いずれかのラック、すなわちいずれかのシャッタが移動すると、そのピニオン（１８）を介して他方が逆方向に移動する。
【００１２】
第１及び第２引張スプリング（２２ａ、２２ｂ）は本体（１２）内の上側の左右の端部に形成されたスプリング固定突起（１２ｄ、１２ｅ）に一端が固定され、他端は直線ラック（２０ａ、２０ｂ）の端部に固定される。第１及び第２引張スプリング（２２ａ、２２ｂ）は開口部（２６）が開放される時各々第１及び第２シャッタ（１４、２４）により圧縮され、開口部（２６）が遮蔽される時復元力により第１及び第２シャッタ（１４、２４）を閉じるように移動させる。この引張スプリング（２２ａ、２２ｂ）は、図２に図示されたようにコイルスプリングでよく、その他図４に示すように弾性の復元力をかけることができる任意の弾性部材を使用することができる。
【００１３】
シャッタヘッド（１６）は水平に延びるアーム（１６ａ）のほぼ中央に矩形の突起を形成させた形状である。第１、第２シャッタ（１４，２４）はその上面にシャッタガイド溝（１４ｂ、２４ｂ）が形成されており、シャッタヘッド（１６）がそのシャッタガイド溝（１４ｂ、２４ｂ）内に入れられる。シャッタヘッドのアーム（１６ａ）がそのガイド溝を形成している面の裏側の面とラックの間に挟まれ、第１シャッタ（１４）または第２シャッタ（２４）からシャッタヘッド（１６）が離脱しないようになっている。ヘッド（１６）の突起の長さと双方の溝で形成される溝の長さとをほぼ等しくし、アーム１６ａの両端を双方のシャッタの上壁と第１ラックの上面との間に入れるか、あるいは図示しないが、アーム（１６ａ）の幅をガイド溝（１４ｂ、２４ｂ）の幅より広くして、溝を形成させてある壁の部分で挟むようにしてもよい。要するに、ヘッド（１６）の移動でいずれかのシャッタ（１４、２４）が移動するようにすればよい。このシャッタヘッド（１６）はディスクカートリッジがディスク駆動装置内にロードされる時シャッタオープナーにより駆動されて、その突起でいずれかのシャッタ（１４、２４）を移動させる。
【００１４】
このようなディスクカートリッジに収納された光ディスク（１００）は小型サイズの例を上げると、８０mmの直径の光ディスクであり、再生専用、記録可能型いずれでもよい。また、光ディスク（１００）は記録面の数によって片面または両面の記録面を有することができる。ようするに、ディスクそのものの形状は問わない。
【００１５】
ディスク駆動装置によりロードされるディスクカートリッジのシャッタが開放される方向は必ずしも一方とは限らない。これを図５及び図６で説明する。
図５を参照すると、本実施形態によるディスクカートリッジが左側にシャッタを開放するディスク駆動装置にロードされると、ディスク駆動装置内に設置されたシャッタオープナーによりシャッタヘッド（１６）は左側に力を受ける。そうするとシャッタヘッド（１６）の突起が第１シャッタ（１４）の溝（１４ｂ）の底に当たり、シャッタオープナーに連動して左側に移動する。これと同時に、第１直線ラック（２０ａ）は第１シャッタ（１４）に連動して左側に移動し、ピニオン（１８）は第１直線ラック（２０ａ）に連動されて反時計方向に回転する。そして第２直線ラック（２０ｂ）はピニオン（１８）に連動して右側に移動し、第２シャッタ（２４）は第２直線ラック（２０ｂ）によって右側に移動する。この結果、シャッタヘッド（１６）と第１シャッタ（１４）が左側に移動されると同時に第２シャッタ（２４）が右側に移動する。第１及び第２シャッタ（１４、２４）が本体（１２）の側壁に密着されて開口部（２６）が完全に解放される。
【００１６】
図６では、本実施形態によるディスクカートリッジが右側にシャッタを開放するディスク駆動装置にロードされている。駆動装置内に設置されたシャッタオープナーによりシャッタヘッド（１６）は右側に力を受ける。そうするとシャッタヘッド（１６）と第２シャッタ（２４）はシャッタオープナーにより右側に移動される。これと同時に、第２直線ラック（２０ｂ）は第２シャッタ（２４）に連動して右側に移動し、ピニオン（１８）は第２直線ラック（２０ｂ）に連動して、前述した反時計方向とは逆方向の時計方向に回転する。そして第１直線ラック（２０ａ）はピニオン（１８）に連動して左側に直線運動し、第１シャッタ（１４）は第１直線ラック（２０ａ）につれて左側に移動する。この結果、シャッタヘッド（１６）が左側に力を受ける場合と同じように、シャッタヘッド（１６）が右側に力を受けると第１及び第２シャッタ（１４、２４）が互いに反対方向に移動して開口部（２６）を開放する。
【００１７】
図７を参照すると、本発明の第２実施形態によるディスクカートリッジが開示されている。この例では、開口部（２６）が形成された本体（４２）と、本体（４２）に直線運動可能に設置される第１及び第２シャッタ（４４、５４）と、第１及び第２シャッタ（４４、５４）を互いに反対方向に同時に移動させるためのシャッタ駆動部とを具備する。本体（４２）では小型光ディスク（１００）が回転可能に収納される。本体（４２）に形成された開口部（２６）の幅は大型ディスクカートリッジのそれと同一に開口部幅Ｗになる。第１及び第２シャッタ（４４、５４）はシャッタ駆動部により駆動されて互いに反対方向に直線運動することで開口部（２６）を開閉させる。第１直線ラック（４０ａ）はシャッタヘッド（４６）と一体化されている。
【００１８】
図８及び図９を参照すると、シャッタ駆動部は、本体（４２）に回転可能に設置されるピニオン（２８）と、ピニオン（２８）に噛み合わされ各々第１及び第２シャッタ（４４、５４）の中いずれ一方に結合された第１及び第２直線ラック（４０ａ、４０ｂ）と、第１及び第２直線ラック（４０ａ、４０ｂ）に復元力をかける第１及び第２コイルスプリング（３２ａ、３２ｂ）とを具備する。ピニオン（２８）は同様に本体（４２）内の上側の中央部に回転可能に取り付けられている。このピニオン（２８）には互いに向き合うように第１及び第２直線ラック（２０ａ、２０ｂ）が噛み合っている。ピニオン（２８）が回転すると第１及び第２直線ラック（４０ａ、４０ｂ）は互いに反対方向に移動する。第１及び第２直線ラック（４０ａ、４０ｂ）は本体（１２）内の上側で並んで形成される第１及び第２ガイド溝（４２ａ、４２ｂ）内に各々直線運動可能に挿入される。第１及び第２直線ラック（４０ａ、４０ｂ）はピニオン（２８）により直線運動する時第１及び第２シャッタ（４４、５４）に形成されたストッパー（４４ａ、５４ｂ）に接触されることで第１及び第２シャッタ（４４、５４）を互いに反対方向に押す。これら第１及び第２直線ラック（４０ａ、４０ｂ）は各々第１及び第２シャッタ（４４、５４）の中いずれか一つのシャッタ（４４または５４）に連動されて直線運動するようになり、かつピニオン（２８）を時計方向または反時計方向に回転させ、ピニオン（２８）の回転運動を直線運動に変換させて他側のシャッタ（５４または４４）に伝達する。第１及び第２コイルスプリング（３２ａ、３２ｂ）は本体（４２）内の上側左右端部に形成されたスプリング固定突起（４２ｃ、１２ｄ）に一端が固定されて他端は直線ラック（４０ａ、４０ｂ）の端またはストッパー（４４ａ、５４ａ）に固定される。第１及び第２コイルスプリング（３２ａ、３２ｂ）は開口部（２６）が開放される時各々第１及び第２シャッタ（４４、５４）により圧縮され、開口部（２６）が遮蔽される時復元力により第１及び第２シャッタ（４４、５４）を開口部（２６）側に移動させる。
【００１９】
図２に図示されたディスクカートリッジと対比する時、図７に示されたディスクカートリッジでは第１及び第２ラックの長さが図２に図示されたそれらより大略二倍になる。これによって、シャッタが閉じている時図２に図示されたディスクカートリッジのラック（２０ａ、２０ｂ）が端部でピニオン（１８）と噛み合っているが、図７に図示されたディスクカートリッジでは第１及び第２ラック（４０ａ、４０ｂ）が長さ方向の中心でピニオン（２８）に噛み合っている。また、図２に図示されたディスクカートリッジは第１及び第２ラックとは別途にシャッタヘッド（２６）が設置されるが図７に図示されたディスクカートリッジは第１直線ラック（４０ａ）に一体化されている。
【００２０】
シャッタ（４４、５４）とその駆動部の動作を図１０、図１１とともに説明する。
図１０は、本実施形態ディスクカートリッジが左側にシャッタを開放するディスク駆動装置にロードされたときである。ディスク駆動装置内に設置されたシャッタオープナーによりシャッタヘッド（４６）及び第１直線ラック（４０ａ）は左側に力を受ける。そうすると第１シャッタ（４４）は第１直線ラック（４０ａ）とともに左側に移動する。これと同時に、ピニオン（２８）は第１直線ラック（４０ａ）に連動して反時計方向に回転し、第２直線ラック（４０ｂ）はピニオン（２８）に連動して右側に直線運動する。この結果、第１シャッタ（４４）が左側に移動すると同時に第２シャッタ（５４）が右側に移動する。第１及び第２シャッタ（４４、５４）が本体（１２）の側壁の方に密着されると開口部（２６）が完全に解放される。
【００２１】
図１１は、本実施形態ディスクカートリッジが右側にシャッタを開放するディスク駆動装置にロードされたときである。駆動装置内に設置されたシャッタオープナーによりシャッタヘッド（４６）及び第１直線ラック（４０ａ）は右側に力を受ける。そうすると第２シャッタ（５４）は第２シャッタ（５４）とともに右側に移動する。これと同時に、ピニオン（２８）は第１直線ラック（４０ａ）に連動して半時計方向に回転し、第２直線ラック（４０ｂ）はピニオン（２８）に連動し左側に直線運動する。第１シャッタ（１４）は第１直線ラック（２０ａ）とともに左側に移動する。この結果、第１シャッタ（４４）が右側に移動すると同時に第２シャッタ（５４）が左側に移動する。
【００２２】
図１２に本発明の第３実施形態が開示されている。このディスクカートリッジは開口部（２６）が形成された本体（５２）と、本体（５２）に直線駆動可能に設置される第１及び第２シャッタ（６４、７４）と、第１及び第２シャッタ（６４、７４）を互いに反対方向に直線駆動させるためのベルト（５６）及び第１及び第２シャッタ（６４、７４）に復元力をかける第及び第２引張スプリング（６２ａ、６２ｂ）とを具備する。本体（５２）には小型光ディスク（１００）が回転の可能に収納される。本体（５２）に形成された開口部（２６）の幅は大型ディスクカートリッジの開口部と同一の幅Ｗを有する。第１及び第２シャッタ（６４、７４）は図１３ａ及び図１３ｂのように互いに重なることがないように突き合わせ箇所に突起形態のストッパー（６０ａ、６０ｂ）が形成されている。第１及び第２シャッタ（６４、７４）の厚さが一定の厚さ以上であれば重なることがないので、ストッパー（６０ａ、６０ｂ）を省略することができる。第１シャッタ（６４）は第１ベルトコネクター（５８ａ）に連結される。ここで、第１シャッタ（６４）と第２シャッタ（７４）のベルト（５６）への連結箇所はベルトを中心に前／後面に対称的に配置されている。ベルト（５６）は一定の面積を有する可撓性フィルムのような帯形態にすることができる。また、ベルト（５６）は糸またはワイヤなどを使用することもできるが機械的組立の単純性のためには帯タイプが好ましい。このベルト（５６）は本体（５２）に形成されるローラ（５２ａ、５２ｂ）に無限軌道の形態で取り付けられている。このようなベルト（５６）はいずれか一方のシャッタ（６４または７４）により回転力を受けると他方のシャッタ（７４または６４）をその反対方向に移動させる。第１及び第２引張スプリング（６２ａ、６２ｂ）は各々本体（５２）内の上側の左右の端部に形成されたスプリング固定突起（５２ｃ、５２ｄ）に一端が固定されて他端は各々第１シャッタ（６４）と第２シャッタ（７４）に固定される。
【００２３】
図１４及び図１５を参照すると、図１２に示されたディスクカートリッジにおいて、第１及び第２シャッタ（６４、７４）の中いずれ一つに力がかかるとベルト（５６）が回転する。これと同時に、力を受けないシャッタ（７４または６４）はベルト（５６）に連動されて力を受けるシャッタ（６４または７４）の直線運動と反対方向に直線運動して開口部（２６）を開放させる。
【００２４】
図１２に図示されたディスクカートリッジは図１６に図示されたように、第１及び第２シャッタ（６４、７４）の各々にシャッタヘッド（６６ａ、６６ｂ）を形成することができる。この場合、ディスク駆動装置はシャッタオープナーでシャッタヘッド（６６ａ、６６ｂ）の中いずれか一つを利用して第１及び第２シャッタ（６４、７４）を駆動させる。
【００２５】
図１７は本発明の第４実施形態である。このディスクカートリッジは、開口部（２６）が形成された本体（７２）と、本体（７２）に直線駆動の可能に設置されて重なった形態で開口部（２６）を開閉させる第１及び第２シャッタ（８４、９４）及び第１及び第２シャッタ（８４、９４）に復元力をかける第１及び第２引張スプリング（８２ａ、８２ｂ）とを具備する。本体（７２）に形成された開口部（２６）は大型ディスクカートリッジの開口部と同一の幅Ｗを有する。そして、本体（７２）の前面と背面には第１及び第２シャッタ（８４、９４）の下端部を支持するシャッタホルダ（７２ｄ）が形成される。第１及び第２シャッタ（８４、９４）には図１８及び図１９のようにいずれか一つのシャッタ（８４または９４）がシャッタ幅だけ直線運動した後、同一の方向に異なるシャッタ（９４または８４）が直線運動することができるようにストッパー（８４ｂ、８４ｃ、９４ｂ、９４ｃ）が形成されている。第１シャッタ（８４）に形成されたストッパー（８４ｂ、８４ｃ）は第１シャッタ（８４）の最上側の左／右端部で上を向いて突出し、第２シャッタ（９４）に形成されたストッパー（９４ｂ、９４ｃ）は最上側の左／右端部で下を向いて突出している。ストッパー（８４ｂ、８４ｃ、９４ｂ、９４ｃ）の中、第１及び第２シャッタ（８４、９４）の互いに接近した位置のストッパー（８４ｂ、９４ｂ）は互いに噛み合い、開口部（２６）が閉まっている場合は係合して双方のシャッタを拘束する。第１及び第２引張スプリング（８２ａ、８２ｂ）は各々本体（７２）内の上側の左右の端部に形成されたスプリング突起（７２ａ、７２ｂ）に一端が固定されて他端は第１及び第２スライド（８４ａ、９４ａ）の中いずれか一つに固定される。第１及び第２スライド（８４ａ、９４ａ）は本体（７２）の幅方向に形成されるガイド溝（７２ｃ）に直線運動が可能に挿入される。第１及び第２スライド（８４ａ、９４ａ）は駆動されるシャッタ（８４または９４）に連動するシャッタ（９４または８４）をつれて引張られる。また、第１及び第２スライド（８４ａ、９４ａ）は直線運動の区間上に本体（７２）内に形成されたストッパー（７２ｅ、７２ｆ）により圧縮が制限される。
【００２６】
図１７のように開口部（２６）が閉まっている状態でディスク駆動装置内にディスクカートリッジが装着されると図２０及び図２１のように第１及び第２シャッタ（８４、９４）が重なって開口部（２６）が開放される。
図２０ないし図２１を参照すると、ディスクカートリッジがディスク駆動装置内に挿入され始めるとシャッタオープナーにより第２シャッタ（９４）が左側に力を受ける。第２シャッタ（９４）と共に第２スライド（９４ａ）は左側に直線運動するようになり、第２スライド（９４ａ）とともに第２引張スプリング（８２ｂ）が引張られ始める。第１シャッタ（８４）は図２０のように第１シャッタ（８４）の左／右側のストッパー（８４ｂ、８４ｃ）と第２シャッタ（９４）の左／右側のストッパー（９４ｂ、９４ｃ）が係合する瞬間から第２シャッタ（９４）とともに左側に直線運動する。第１及び第２シャッタ（８４、９４）が本体（７２）の左側に密着されると開口部（２６）が完全に解放される。この時、開口部（２６）の幅は大型ディスクカートリッジの開口部と同一にＷとなる。ディスク駆動装置内でディスクカートリッジが排出される動作は前述したロード動作の逆順になされる。即ち、シャッタオープナーの拘束から自由になって第２引張スプリング（８２ｂ）の復元力により第２シャッタ（９４）が右側にシャッタ幅だけ直線運動した後、第１及び第２シャッタ（８４、９４）が重なった状態で移動して開口部（２６）を遮蔽させる。
【００２７】
本発明による連動されるシャッタを有するディスクカートリッジは開口部を従来の大型ディスクカートリッジと同一に確保することができ、アクセス空間とクランピング空間を充分に確保することができる。このように、小型ディスクカートリッジが連動されるシャッタ構造を有するとその開口部の幅が大型ディスクカートリッジの開口部の幅と同一になるので、ディスク駆動装置内の光ピックアップ、スピンドルモータ及びクランピングなどの構造変更無しに小型及び大型ディスクカートリッジが互換的に駆動することができる。
【００２８】
図２２を参照すると、本発明によるディスク駆動装置は、大型ディスクカートリッジ（１０４）とアダプタ（１０６）を収納して直線運動するトレイ（２０２）を具備する。トレイ（２０２）はディスク駆動装置内部の図示しないロード機構の駆動によりディスク駆動装置内／外部に直線運動する。トレイ（２０２）では大型ディスクカートリッジ（１０４）またはアダプタ（１０６）が収納される収納部（２０２ａ）が凹むように形成されている。トレイ（２０２）の収納部（２０２ａ）では大型ディスクカートリッジ（１０４）の開口部と同一の幅Ｗで開口部（２０３）が形成されている。このようなトレイ（２０２）は大型ディスクカートリッジ（１０４）またはアダプタ（１０６）をディスク駆動装置（２００）内部にロードさせたり外部にイジェクトさせる役割をする。大型ディスクカートリッジ（１０４）は、例えば図１のような構造を有するようになり、前述したように開口部の幅はＷとなる。アダプタ（１０６）は大型ディスクカートリッジ（１０４）と同一の幅と長さを有し、内部では小型ディスクカートリッジ（１０４）が収納される収納ホール（１０８）が形成されている。また、アダプタ（１０６）はシャッタヘッド（１１０）が直線運動可能に設置される。小型ディスクカートリッジ（１０２）では連動されるシャッタ（１２４、１２６）と、大型ディスクカートリッジ（１０４）の開口部とが同一の幅の開口部である。このシャッタ（１２４、１２６）はいずれか一つのシャッタが駆動されると同時にまたは順次に他側のシャッタが連動されて小型ディスクカートリッジの開口部を開閉させる。
【００２９】
一方、本発明による連動されるシャッタを有するディスクカートリッジは実施形態でのように両面の記録面を有する光ディスクだけではなく、片面の記録面を有する光ディスクにも適用することができることは当然である。片面の記録面を有する光ディスクが収納される場合、連動されるシャッタを有するディスクカートリッジの開口部は本体の片面にだけ形成することができる。
【００３０】
連動されるシャッタを有する小型ディスクカートリッジはデジタルカメラ、キャムコーダー、携帯用のコンピュータなどの小型情報通信機に補助記憶媒体として利用することができる。この場合、小型情報通信機器で連動されるシャッタを有する小型ディスクカートリッジに画像情報または文字情報などを記録した後、ＰＣのような据え置き型情報機器でデータ編集、修正などを自由にできる。
【００３１】
【発明の効果】
上述したところのように、本発明による連動されるシャッタを有するディスクカートリッジは小型光ディスクに適合するだけではなく、開口部サイズを充分に確保することで大型ディスクカートリッジと互換性を有する。本発明によるディスク駆動装置は連動されるシャッタを有する小型ディスクカートリッジを大型ディスクカートリッジのように駆動することができる。
【００３２】
以上説明した内容を通して当業者であれば本発明の技術思想を逸脱しない範囲で多用な変更及び終戦の可能であることが分かる。従って、本発明の技術的範囲は明細書の詳細な説明に記載された内容に限らず特許請求の範囲によって定めなければならない。
【図面の簡単な説明】
【図１】  従来のディスクカートリッジを概略的に表す平面図である。
【図２】  本発明の実施形態による連動されるシャッタなどを有するディスクカートリッジを表す図面である。
【図３】  図２に図示されたディスクカートリッジの分解の写視図である。
【図４】  図２に図示されたシャッタに復元力を提供するための弾性部材を図示する図面である。
【図５】  図２に図示されたディスクカートリッジが左側に駆動力を受ける場合の動作を表す図面である。
【図６】  図２に図示されたディスクカートリッジが右側に駆動力を受ける場合の動作を表す図面である。
【図７】  本発明の第２実施形態による連動されるシャッタなどを有するディスクカートリッジを表す図面である。
【図８】  図７に図示されたシャッタとシャッタ駆動部の写視図である。
【図９】  図７に図示されたシャッタとシャッタ駆動部の分解の写視図である。
【図１０】  図７に図示されたディスクカートリッジが左側に駆動力を受ける場合の動作を表す図面である。
【図１１】  図７に図示されたディスクカートリッジが右側に駆動力を受ける場合の動作を表す図面である。
【図１２】  本発明の第３実施形態による連動されるシャッタなどを有するディスクカートリッジを表す図面である。
【図１３】  図１２で「Ａ」部分を拡大して表す図面（Ａ）と図１２で「Ｂ」部分を拡大して表す図面（Ｂ）である。
【図１４】  図１２に図示されたディスクカートリッジが駆動力を受ける場合の初期動作を表す図面である。
【図１５】  図１２に図示されたディスクカートリッジが駆動力を受けるようになり開口部が開放された状態を表す図面である。
【図１６】  図１２に図示されたディスクカートリッジでシャッタヘッドが付着された状態を表す図面である。
【図１７】  本発明の第４実施形態による連動されるシャッタなどを有するディスクカートリッジを表す図面である。
【図１８】  図１７に図示されたディスクカートリッジでシャッタなどのストッパーを詳細に表す図面である。
【図１９】  図１７に図示されたディスクカートリッジでシャッタなどが完全に重畳された時のストッパーを詳細に表す図面である。
【図２０】  図１７に図示されたディスクカートリッジが駆動力を受ける場合の初期動作を表す図面である。
【図２１】  図１７に図示されたディスクカートリッジが駆動力を受けるようになり開口部が開放された状態を表す図面である。
【図２２】  本発明の実施形態によるディスク駆動装置を表す図面である。
【符号の説明】
１：大型光ディスク
２、１２、４２、５２、７２：本体
４、１４、２４、５４、６４、７４、１２４、１２６：シャッタ
６、２６、２０３：開口部
１２ａ、１２ｂ、４２ａ、４２ｂ、７２ｃ：ガイド溝
１２ｄ、１２ｅ、４２ｃ、４２ｄ、５２ｃ、５２ｄ、７２ａ、７２ｂ：
スプリング固定突起
１２ｈ、４２ｈ：ヒンジ溝
１４ａ、２４ａ：ホール
１６、４６、６６ａ、６６ｂ、１１０、１１２：シャッタヘッド
１６ａ：アーム
１８、２８：ピニオン
２０ａ、２０ｂ、４０ａ、４０ｂ：直線ラック
２１ａ、２１ｂ：ピン
２２ａ、２２ｂ、６２ａ、６２ｂ、８２ａ、８２ｂ：引張スプリング
２３ａ、２３ｂ、３２ａ、３２ｂ：コイルスプリング
４４ａ、５４ａ、７２ｅ、７２ｆ、８４ｂ、８４ｃ、９４ｂ、９４ｃ：
ストッパー
５２ａ、５２ｂ：ローラ
５６：ベルト
５８ａ、５８ｂ：ベルトコネクター
７２ｄ：シャッタホルダ
８４ａ、９４ａ：スライド
１００：小型光ディスク
１０２：小型ディスクカートリッジ
１０４：大型ディスクカートリッジ
１０６：アダプタ
１０８：収納ホール
２００：ディスク駆動装置
２０２：トレイ
２０２ａ：収納部
【図１】
0004157648.tif 000002
【図２】
0004157648.tif 000003
【図３】
0004157648.tif 000004
【図４】
0004157648.tif 000005
【図５】
0004157648.tif 000006
【図６】
0004157648.tif 000007
【図７】
0004157648.tif 000008
【図８】
0004157648.tif 000009
【図９】
0004157648.tif 000010
【図１０】
0004157648.tif 000011
【図１１】
0004157648.tif 000012
【図１２】
0004157648.tif 000013
【図１３】
0004157648.tif 000014
【図１４】
0004157648.tif 000015
【図１５】
0004157648.tif 000016
【図１６】
0004157648.tif 000017
【図１７】
0004157648.tif 000018
【図１８】
0004157648.tif 000019
【図１９】
0004157648.tif 000020
【図２０】
0004157648.tif 000021
【図２１】
0004157648.tif 000022
【図２２】
0004157648.tif 000023